(57)【要約】【課題】冷却ファンを容易に取り付けることができるファン固定装置を提供する。【解決手段】ファン固定装置６２は、弾性を有する材料で構成され、冷却ファンにおけるファン回転軸に交差する端面側を平面的に覆う平面形状を有するベース板６２１と、ベース板６２１に設けられベース板６２１における板面の面外方向に突出する第２基部６２３１、および第２基部６２３１の先端部分からベース板６２１に対向するように延出する延出部６２３２を有し、ベース板６２１との間で冷却ファンを支持固定する第２押さえ部６２３とを備える。ベース板６２１には、第２延出部６２３２に対向する位置に冷却ファンの外面部分の一部を挿通可能とする開口部６２１２が形成されている。第２延出部６２３２およびベース板６２１の互いに対向する各対向面の離間寸法は、冷却ファンにおけるファン回転軸に沿う厚み寸法よりも小さく設定されている。【選択図】図６
2008072019.tif 000002
【特許請求の範囲】
【請求項１】
空気を吸入および吐出する冷却ファンを支持固定するファン固定装置であって、
弾性を有する材料で構成され、前記冷却ファンにおけるファン回転軸に交差する端面側を平面的に覆う平面形状を有するベース板と、
前記ベース板に設けられ前記ベース板における板面の面外方向に突出する基部、および前記基部の先端部分から前記ベース板に対向するように延出する延出部を有し、前記ベース板との間で前記冷却ファンを支持固定する押さえ部とを備え、
前記ベース板には、前記延出部に対向する位置に前記冷却ファンの外面部分の一部を挿通可能とする開口部が形成され、
前記延出部および前記ベース板の互いに対向する各対向面の離間寸法は、前記冷却ファンにおけるファン回転軸に沿う方向の厚み寸法よりも小さく設定されていることを特徴とするファン固定装置。
【請求項２】
請求項１に記載のファン固定装置において、
前記延出部は、前記基部の先端部分に一体的に形成された延出部本体と、前記延出部本体における前記ベース板に対向する端面に取り付けられ前記冷却ファンに当接して前記冷却ファンの振動を吸収する吸振部材とで構成されていることを特徴とするファン固定装置。
【請求項３】
請求項１または請求項２に記載のファン固定装置において、
前記ベース板は、前記冷却ファンの平面形状に対応した平面視略矩形形状を有し、
前記押さえ部は、前記ベース板における四隅角部分のうちいずれかの角部分に設けられ、
前記ベース板における前記押さえ部の対角位置の角部分には、前記冷却ファンにおけるファン回転軸に沿って突出して前記冷却ファンに形成された係合凹部に係合可能とし、前記係合凹部に係合した状態で前記冷却ファンをファン回転軸に直交する平面に沿って回動自在とし、前記冷却ファンを回動させることで前記冷却ファンの外面部分を前記ベース部および前記押さえ部の間に位置付ける係合突起が形成されていることを特徴とするファン固定装置。
【請求項４】
光源装置と、前記光源装置から射出された光束を画像情報に応じて変調する光変調装置と、前記光変調装置にて変調された光束を拡大投射する投射光学装置とを備えたプロジェクタであって、
空気を吸入および吐出する冷却ファンと、
前記冷却ファンを支持固定する、請求項１から請求項３のいずれかに記載のファン固定装置とを備えていることを特徴とするプロジェクタ。
【発明の詳細な説明】
【技術分野】
【０００１】
本発明は、ファン固定装置、およびプロジェクタに関する。
【背景技術】
【０００２】
従来、電子機器等において、各構成部材の温度上昇を抑制するために、冷却ファンを用いた空冷構造が多く採用されている（例えば、特許文献１参照）。
特許文献１に記載の技術では、冷却ファン（モータ）は、該冷却ファンの四隅位置にそれぞれ形成された各孔に４つのねじを挿通し各ねじをファン固定装置（筺体）に螺合することで、ファン固定装置に固定されている。
【０００３】
【特許文献１】実開平５−９１６１号公報
【発明の開示】
【発明が解決しようとする課題】
【０００４】
しかしながら、特許文献１に記載の技術では、冷却ファンが搭載される電子機器を製造するにあたり、作業者は、４つのねじを冷却ファンに形成された各孔を介してファン固定装置に螺合する必要があり、冷却ファンの取り付け作業が煩雑化し、電子機器を容易に製造することができない。
このため、冷却ファンを容易に取り付けることができる技術が要望されている。
【０００５】
本発明の目的は、冷却ファンを容易に取り付けることができるファン固定装置、およびプロジェクタを提供することにある。
【課題を解決するための手段】
【０００６】
本発明のファン固定装置は、空気を吸入および吐出する冷却ファンを支持固定するファン固定装置であって、弾性を有する材料で構成され、前記冷却ファンにおけるファン回転軸に交差する端面側を平面的に覆う平面形状を有するベース板と、前記ベース板に設けられ前記ベース板における板面の面外方向に突出する基部、および前記基部の先端部分から前記ベース板に対向するように延出する延出部を有し、前記ベース板との間で前記冷却ファンを支持固定する押さえ部とを備え、前記ベース板には、前記延出部に対向する位置に前記冷却ファンの外面部分の一部を挿通可能とする開口部が形成され、前記延出部および前記ベース板の互いに対向する各対向面の離間寸法は、前記冷却ファンにおけるファン回転軸に沿う方向の厚み寸法よりも小さく設定されていることを特徴とする。
【０００７】
本発明によれば、ファン固定装置は、基部および延出部を有する押さえ部と、延出部に対向する位置に開口部を有し弾性を有する材料で構成されるベース板とを備えている。そして、延出部およびベース板の各対向面の離間寸法は、冷却ファンの厚み寸法よりも小さく設定されている。このことにより、冷却ファンをベース板および押さえ部の間に配設することで、延出部およびベース板の各対向面の離間寸法が冷却ファンの厚み寸法よりも小さく設定されているので、延出部およびベース板にて冷却ファンを挟持し、冷却ファンのファン回転軸に沿う方向への移動を規制することができる。また、ベース板が弾性を有する材料で構成され、開口部を有しているので、冷却ファンを上述したようにファン固定装置に配設することで、冷却ファンを付勢する押さえ部の付勢力に対する反力によりベース板における開口部周縁部分が変形し、冷却ファンの外面部分の一部が開口部に挿通し、開口部内周縁にて冷却ファンの外面部分の一部を引っ掛けることができる。すなわち、開口部内周縁にて冷却ファンのファン回転軸に直交する平面に沿う方向への移動を規制することができる。このため、冷却ファンを上述したようにファン固定装置に配設することで、ファン固定装置にて冷却ファンを良好に支持固定できる。したがって、従来のようなねじを必要とせず、作業者は、冷却ファンをベース板および押さえ部の間に配設するだけで、冷却ファンをファン固定装置に容易に取り付けることができる。また、従来のようなねじを必要としないため、軽量化も図れる。
【０００８】
本発明のファン固定装置では、前記延出部は、前記基部の先端部分に一体的に形成された延出部本体と、前記延出部本体における前記ベース板に対向する端面に取り付けられ前記冷却ファンに当接して前記冷却ファンの振動を吸収する吸振部材とで構成されていることが好ましい。
ここで、延出部本体およびベース板の各対向面の離間寸法は、延出部（吸振部材）およびベース板の各対向面の離間寸法が冷却ファンの厚み寸法よりも小さく設定されていれば、冷却ファンの厚み寸法よりも小さくても大きくてもよく、あるいは、冷却ファンの厚み寸法と同一の寸法で構成しても構わない。
本発明によれば、延出部は、延出部本体および吸振部材を備え、ファン固定装置に冷却ファンを支持固定させた状態で、吸振部材が冷却ファンに当接する。このことにより、吸振部材により、冷却ファンの駆動時の振動を吸収して騒音の発生を抑制できる。
また、吸振部材を延出部本体および冷却ファンの間に介在させる構成であるので、例えば、延出部を延出部本体のみで構成した場合と比較して、吸振部材の厚み寸法を変更すれば、延出部およびベース板の各対向面の離間寸法を容易に変更できる。
【０００９】
本発明のファン固定装置では、前記ベース板は、前記冷却ファンの平面形状に対応した平面視略矩形形状を有し、前記押さえ部は、前記ベース板における四隅角部分のうちいずれかの角部分に設けられ、前記ベース板における前記押さえ部の対角位置の角部分には、前記冷却ファンにおけるファン回転軸に沿って延出して前記冷却ファンに形成された係合凹部に係合可能とし、前記係合凹部に係合した状態で前記冷却ファンをファン回転軸に直交する平面に沿って回動自在とし、前記冷却ファンを回動させることで前記冷却ファンの外面部分を前記ベース部および前記押さえ部の間に位置付ける係合突起が形成されていることが好ましい。
本発明によれば、ベース板には、押さえ部の対角位置の角部分に、係合突起が形成されているので、作業者は、例えば、以下に示すように、ファン固定装置に冷却ファンを取り付けることができる。
先ず、冷却ファンの係合凹部を係合突起に係合させる。
そして、係合凹部および係合突起が係合した状態で、係合突起を回動軸として冷却ファンを回動させ、冷却ファンの外面部分をベース板および押さえ部の間に位置付ける。
この状態では、冷却ファンは、上述したように、延出部およびベース板にて挟持された状態となる。また、冷却ファンは、上述したように、外面部分の一部がベース板の開口部に挿通し、開口部内周縁にて冷却ファンの外面部分の一部が引っ掛かった状態となる。
以上のように、ファン固定装置の係合突起に対して冷却ファンの係合凹部を係合させた状態で、冷却ファンを回動させるだけで、冷却ファンをファン固定装置に容易に取り付けることができる。
【００１０】
また、係合突起は、冷却ファンの係合凹部に係合するので、ファン固定装置に対して冷却ファンを所定位置に位置決めする機能を有することとなる。このため、ファン固定装置に対する冷却ファンの位置決めも容易に実現できる。
さらに、係合突起は、冷却ファンのファン回転軸に沿って突出するので、冷却ファンの係合凹部に係合することで、冷却ファンのファン回転軸に直交する平面に沿う方向への移動を規制する機能を有することとなる。このため、係合突起および開口部内周縁の双方にて冷却ファンのファン回転軸に直交する平面に沿う方向への移動を良好に規制し、ファン固定装置にて冷却ファンを良好に支持固定できる。
【００１１】
本発明のプロジェクタは、光源装置と、前記光源装置から射出された光束を画像情報に応じて変調する光変調装置と、前記光変調装置にて変調された光束を拡大投射する投射光学装置とを備えたプロジェクタであって、空気を吸入および吐出する冷却ファンと、前記冷却ファンを支持固定する、上述したファン固定装置とを備えていることを特徴とする。
本発明によれば、プロジェクタは、上述したファン固定装置を備えているので、上述したファン固定装置と同様の作用および効果を享受できる。
【発明を実施するための最良の形態】
【００１２】
以下、本発明の実施の一形態を図面に基づいて説明する。
〔プロジェクタの概略構成〕
図１は、プロジェクタ１の概略構成を模式的に示す図である。
プロジェクタ１は、光源から射出される光束を画像情報に応じて変調してカラー画像（光学像）を形成し、このカラー画像をスクリーン（図示略）上に拡大投射するものである。このプロジェクタ１は、図１に示すように、略直方体状の外装筺体２と、投射光学装置としての投射レンズ３と、光学ユニット４と、ここでは図示しない電源ユニット５および冷却装置６（図２、図３参照）等を備える。
なお、図１において、具体的な図示は省略したが、外装筺体２内において、投射レンズ３および光学ユニット４以外の空間には、電源ユニット５、冷却装置６、およびプロジェクタ１内部の各構成部材を制御する制御装置等が配置されるものとする。
投射レンズ３は、筒状の鏡筒内に複数のレンズが収納された組レンズとして構成され、光学ユニット４にて形成されたカラー画像をスクリーン上に拡大投射する。
【００１３】
〔光学ユニットの詳細な構成〕
光学ユニット４は、図１に示すように、外装筺体２の背面に沿って延出するとともに、外装筺体２の側面に沿って延出する平面視略Ｌ字形状を有し、前記制御装置による制御の下、光源から射出された光束を光学的に処理して画像情報に対応したカラー画像を形成するユニットである。この光学ユニット４は、図１に示すように、光源装置４１と、均一照明光学装置４２と、色分離光学装置４３と、リレー光学装置４４と、光学装置４５と、これら各部材４１〜４５を内部に設定された照明光軸Ａに対する所定位置に配置する光学部品用筐体４６とを備える。
【００１４】
光源装置４１は、前記制御装置による制御の下、点灯し、均一照明光学装置４２に向けて光束を射出する。この光源装置４１は、図１に示すように、光源ランプ４１１およびリフレクタ４１２を有する光源装置本体４１Ａと、平行化レンズ４１３と、これら各部材４１１〜４１３を内部に収納するランプハウジング４１４とを備える。そして、光源ランプ４１１から射出された放射状の光束は、リフレクタ４１２にて反射され、平行化レンズ４１３を介して平行光とされる。
なお、図１では、リフレクタ４１２を、楕円面リフレクタとして構成していたが、これに限らず、光源ランプ４１１から射出された光束を略平行化して反射するパラボラリフレクタとして構成しても構わない。この場合には、平行化レンズ４１３を省略する。
【００１５】
均一照明光学装置４２は、光源装置４１から射出された光束を、光学装置４５を構成する後述する液晶パネルの画像形成領域に略均一に照明するための光学系である。この均一照明光学装置４２は、図１に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００１６】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００１７】
色分離光学装置４３は、図１に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図１に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００１８】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００１９】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２０】
光学装置４５は、図１に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
【００２１】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、一対の透明ガラス基板に電気光学物質である液晶が密閉封入された構成を有し、画像情報に応じて画像形成領域内にある前記液晶の配向状態を制御し、入射側偏光板４５２から射出された偏光光束の偏光方向を変調する。
射出側偏光板４５３は、入射側偏光板４５２と略同様の構成を有し、液晶パネル４５１の画像形成領域から射出された光束のみ透過させ、その他の光束を吸収する。
【００２２】
クロスダイクロイックプリズム４５４は、射出側偏光板４５３から射出された色光毎に変調された光学像を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２３】
〔電源ユニットの構成〕
図２および図３は、電源ユニット５および冷却装置６の概略構成を示す斜視図である。なお、図２および図３は、それぞれ逆方向から見た図であり、図２は電源ユニット５側から見た斜視図であり、図３は冷却装置６側から見た斜視図である。また、図２および図３では、説明の便宜上、冷却装置６から空気が吐出され、電源ユニット５内部を流通する空気の流通方向をＺ軸とし、該Ｚ軸に直交する２軸をそれぞれＸ軸およびＹ軸とする。以下の図も同様に、Ｘ軸、Ｙ軸、Ｚ軸を採用する。
電源ユニット５は、プロジェクタ１を構成する各構成部材（例えば、光源ランプ４１１、前記制御装置等）に電力を供給する。この電源ユニット５は、図２または図３に示すように、図示しない電源ケーブルを通して外部から供給された電力を前記各構成部材に供給する電源ブロック５１と、電源ブロック５１から供給された電力に基づいて光源ランプ４１１を点灯させるランプ駆動ブロック５２とを備える。これら電源ブロック５１およびランプ駆動ブロック５２は、図２または図３に示すように、Ｚ軸方向に交差する各端部側が開口された筒状部材５１Ａ，５２Ａによって周囲をそれぞれ覆われている。そして、各筒状部材５１Ａ，５２Ａは、図２または図３に示すように、電源ブロック５１およびランプ駆動ブロック５２内部においてＺ軸方向に空気を流通する空気流通路Ｃ１，Ｃ２を形成する。
なお、筒状部材５１Ａ，５２Ａとしては、種々の部材を採用でき、例えば、絶縁性を有する部材や、アルミニウム等の金属性の部材等が例示できる。
【００２４】
〔冷却装置の構成〕
図４および図５は、冷却装置６の概略構成を示す斜視図である。具体的に、図４は、＋Ｚ軸方向から見た冷却装置６の斜視図である。図５は、−Ｚ軸方向から見た冷却装置６の斜視図である。
以下では、冷却装置６のうち、電源ユニット５を冷却する構成を主に説明し、その他の部材、光源装置４１、前記制御装置等を冷却する構成については説明を省略する。
冷却装置６は、冷却ファンとしての遠心力ファン６１を有し、遠心力ファン６１による空気の吸入、および吐出によって、電源ユニット５を冷却する。この冷却装置６は、図４または図５に示すように、遠心力ファン６１と、ファン固定装置６２とを備える。
遠心力ファン６１は、ファンの回転により吸入した空気を回転接線方向に吐出するシロッコファンである。この遠心力ファン６１は、図４に示すように、ファンの回転により空気を吸入する吸気口６１１側から見て略円形状を有し、空気を吐出する吐出口６１２が円形状の外周部分の一部から接線方向に突出するように形成されている。
【００２５】
この遠心力ファン６１において、側端部（吸気口６１１に交差する端部）には、図４または図５に示すように、該側端部から外側に膨出する第１取付部６１３および第２取付部６１４が形成されている。
各取付部６１３，６１４は、図４または図５に示すように、ファン回転軸Ａｘを中心として略１８０°の回転対称位置にそれぞれ形成され、ファン回転軸Ａｘと交差する端面（吸気口６１１を含む）と略面一となるように側端部から膨出し、ファン回転軸Ａｘに沿う方向（図４中、Ｚ軸方向）から見て略円形状を有する。そして、各取付部６１３，６１４の平面視略中心位置には、図４または図５に示すように、ファン回転軸Ａｘに沿って各取付部６１３，６１４を貫通する係合凹部としての第１円孔６１３Ａ（図４）と第２円孔６１４Ａ（図５）とがそれぞれ形成されている。
【００２６】
図６は、ファン固定装置６２の概略構成を示す斜視図である。具体的に、図６は、ファン固定装置６２を＋Ｚ軸方向から見た斜視図である。
ファン固定装置６２は、遠心力ファン６１を支持固定し、冷却装置６を外装筺体２内部の所定位置に配設する部材である。このファン固定装置６２は、図６に示すように、ベース板６２１と、第１押さえ部６２２と、第２押さえ部６２３と、ダクト部６２４とを備える。
ベース板６２１は、遠心力ファン６１における吸気口６１１とは反対側の端面を平面的に覆うように、前記吸気口６１１とは反対側の端面の外形形状と略同一の外形形状（平面視略矩形形状）を有する板状に形成されている。
【００２７】
このベース板６２１において、遠心力ファン６１の第１円孔６１３Ａに対応する位置（ベース板６２１における平面視略矩形形状の四隅角部分のうち１つの角部分）には、図６に示すように、ベース板６２１の板面から略直交して＋Ｚ軸方向に突出する円柱形状の係合突起６２１１が形成されている。
この係合突起６２１１は、遠心力ファン６１の第１円孔６１３Ａに挿通（係合）し、係合した状態で遠心力ファン６１をファン回転軸Ａｘに直交する平面（図４ないし図６中、ＸＹ平面）に沿って回動自在に軸支する。
また、このベース板６２１において、係合突起６２１１の対角位置にある角部分には、第２押さえ部６２３の後述する第２延出部に対向する位置に、図６に示すように、遠心力ファン６１をファン固定装置６２に取り付けた状態で、遠心力ファン６１の第２取付部６１４の一部を挿通可能とする平面視矩形状の開口部６２１２が形成されている。
【００２８】
第１押さえ部６２２は、遠心力ファン６１をファン固定装置６２に取り付けた状態で、ベース板６２１との間で遠心力ファン６１の第１取付部６１３を挟持する部分である。この第１押さえ部６２２は、図６に示すように、第１基部６２２１と、第１延出部６２２２とを備える。
第１基部６２２１は、図６に示すように、ベース板６２１における係合突起６２１１が形成された角部分において、Ｙ軸方向に沿う端縁からＹＺ平面に沿って突出する部分である。
また、第１基部６２２１において、＋Ｙ軸方向端部は、図６に示すように、ベース板６２１の係合突起６２１１を中心とする平面視円弧状に形成されている。そして、第１基部６２２１における＋Ｙ軸方向端部は、遠心力ファン６１をファン固定装置６２に取り付けた状態で、遠心力ファン６１の第１取付部６１３の外面に当接し、遠心力ファン６１を支持する。
第１延出部６２２２は、図６に示すように、第１基部６２２１の突出方向先端部分からベース板６２１に対向するようにＸＹ平面に沿って延出する。この第１延出部６２２２は、図６に示すように、第１延出部本体６２２２Ａと、第１吸振部材６２２２Ｂとで構成されている。
【００２９】
第１延出部本体６２２２Ａは、第１基部６２２１の突出方向先端部分に一体的に形成されたものである。そして、第１延出部本体６２２２Ａおよびベース板６２１の各対向面の離間寸法は、遠心力ファン６１の厚み寸法（ファン回転軸Ａｘに沿う幅寸法）と略同一に設定されている。
第１吸振部材６２２２Ｂは、第１延出部本体６２２２Ａにおけるベース板６２１に対向する端面に取り付けられ、遠心力ファン６１をファン固定装置６２に取り付けた状態で、第１延出部本体６２２２Ａと遠心力ファン６１との間に介在配置する。すなわち、第１延出部本体６２２２Ａおよびベース板６２１の各対向面の離間寸法が遠心力ファン６１の厚み寸法と略同一に設定され、第１吸振部材６２２２Ｂが所定の厚み寸法を有しているので、第１延出部６２２２（第１吸振部材６２２２Ｂ）およびベース板６２１の各対向面の離間寸法は、遠心力ファン６１の厚み寸法よりも小さく設定されることとなる。そして、第１吸振部材６２２２Ｂは、例えば、ゴムスポンジ、ウレタンフォーム、シリコンフォーム等の弾性材料で構成され、遠心力ファン６１の駆動時における振動を吸収する。なお、第１吸振部材６２２２Ｂとしては、遠心力ファン６１の振動を吸収する機能を有する部材であれば、上記材料に限らず、その他の材料を採用しても構わない。
【００３０】
第２押さえ部６２３は、遠心力ファン６１をファン固定装置６２に取り付けた状態で、ベース板６２１との間で遠心力ファン６１の第２取付部６１４を挟持する部分である。この第２押さえ部６２３は、図６に示すように、第２基部６２３１と、第２延出部６２３２とを備える。
第２基部６２３１は、図６に示すように、ベース板６２１における開口部６２１２が形成された角部分において、Ｘ軸方向に沿う端縁からＸＺ平面に沿って突出する部分である。
第２延出部６２３２は、図６に示すように、第２基部６２３１の突出方向先端部分からベース板６２１に対向するようにＸＹ平面に沿って延出する。この第２延出部６２３２は、図６に示すように、第２延出部本体６２３２Ａと、第２吸振部材６２３２Ｂとで構成されている。
【００３１】
第２延出部本体６２３２Ａは、第２基部６２３１の突出方向先端部分に一体的に形成されたものである。そして、第２延出部本体６２３２Ａおよびベース板６２１の各対向面の離間寸法は、遠心力ファン６１の厚み寸法と略同一に設定されている。
第２吸振部材６２３２Ｂは、第２延出部本体６２３２Ａにおけるベース板６２１に対向する端面に取り付けられ、遠心力ファン６１をファン固定装置６２に取り付けた状態で、第２延出部本体６２３２Ａと遠心力ファン６１との間に介在配置する。すなわち、第２延出部本体６２３２Ａおよびベース板６２１の各対向面の離間寸法が遠心力ファン６１の厚み寸法と略同一に設定され、第２吸振部材６２３２Ｂが所定の厚み寸法を有しているので、第２延出部６２３２（第２吸振部材６２３２Ｂ）およびベース板６２１の各対向面の離間寸法は、遠心力ファン６１の厚み寸法よりも小さく設定されることとなる。そして、第２吸振部材６２３２Ｂは、第１吸振部材６２２２Ｂと同様の材料で構成され、遠心力ファン６１の駆動時における振動を吸収する。
【００３２】
ダクト部６２４は、遠心力ファン６１をファン固定装置６２に取り付けた状態で、遠心力ファン６１の吐出口６１２から吐出された空気を所定位置に導く。このダクト部６２４は、図６に示すように、ダクト部本体６２４１と、空気封止板６２４２とを備える。
ダクト部本体６２４１は、第１基部６２２１の−Ｙ軸方向端縁およびベース板６２１の−Ｘ軸方向端縁に接続し、断面略コ字形状を有している。また、ダクト部本体６２４１は、第１基部６２２１の−Ｙ軸方向端縁およびベース板６２１の−Ｘ軸方向端縁から−Ｘ軸方向に延出し、−Ｘ軸方向に向かうにしたがってＺ軸方向の幅寸法が小さくなる形状を有している。そして、ダクト部本体６２４１は、第１基部６２２１の−Ｙ軸方向端縁およびベース板６２１の−Ｘ軸方向端縁に接続するコ字状部分が遠心力ファン６１をファン固定装置６２に取り付けた状態で遠心力ファン６１の吐出口６１２を平面的に囲み吐出口６１２からの空気を内部に導入する導入口６２４１Ａとして機能し、導入口６２４１Ａに略直交しＸＹ平面に沿うコ字状部分が内部の空気を導出する導出口６２４１Ｂとして機能する。すなわち、ダクト部本体６２４１は、遠心力ファン６１から吐出された空気を、−Ｘ軸方向から＋Ｚ軸方向に曲折して導く。
【００３３】
空気封止板６２４２は、図６に示すように、ダクト部本体６２４１の導出口６２４１Ｂの端縁からＸＹ平面に沿って外側に延出する板状に形成され、ダクト部本体６２４１の導出口６２４１Ｂから冷却対象に導出される空気が冷却対象外部に漏れることを防止する部材である。本実施形態では、空気封止板６２４２は、冷却装置６を外装筺体２内部に配設した状態で、導出口６２４１Ｂと電源ユニット５を構成する筒状部材５１Ａとの隙間を封止するように形成されている。
【００３４】
以上説明したファン固定装置６２は、第１吸振部材６２２２Ｂおよび第２吸振部材６２３２Ｂを除く各部材６２１〜６２４が同一材料で一体的に形成されたものである。また、第１吸振部材６２２２Ｂおよび第２吸振部材６２３２Ｂを除く各部材６２１〜６２４は、所定の弾性（本実施形態では、曲げ弾性率：２５４０ＭＰａ）を有する材料で構成されている。なお、第１吸振部材６２２２Ｂおよび第２吸振部材６２３２Ｂを除く各部材６２１〜６２４の曲げ弾性率は、上述した数値に限らず、その他の数値を有するように設定しても構わない。
【００３５】
次に、上述したファン固定装置６２に対する遠心力ファン６１の取り付け方法を説明する。なお、以下の説明では、予め、第１延出部本体６２２２Ａおよび第２延出部本体６２３２Ａに第１吸振部材６２２２Ｂおよび第２吸振部材６２３２Ｂが取付けられているものとする。
図７は、ファン固定装置６２に対する遠心力ファン６１の取り付け方法を説明するための図である。
先ず、作業者は、図７に示すように、遠心力ファン６１の吐出口６１２が−Ｙ軸方向側に向く状態で、ファン固定装置６２の係合突起６２１１に遠心力ファン６１の第１円孔６１３Ａに挿通する。
そして、作業者は、係合突起６２１１を中心として、ファン固定装置６２をファン回転軸Ａｘに直交する平面（図７中、ＸＹ平面）に沿って、図７中、矢印Ｒ１方向に回動させ、遠心力ファン６１の第２取付部６１４をベース板６２１および第２押さえ部６２３の間に位置付ける。
【００３６】
この状態では、第１延出部６２２２（第１吸振部材６２２２Ｂ）およびベース板６２１の各対向面の離間寸法が遠心力ファン６１の厚み寸法よりも小さく設定されているので、遠心力ファン６１は、第１延出部６２２２およびベース板６２１により第１取付部６１３が挟持された状態となる。また、第２延出部６２３２（第２吸振部材６２３２Ｂ）およびベース板６２１の各対向面の離間寸法が遠心力ファン６１の厚み寸法よりも小さく設定されているので、遠心力ファン６１は、第２延出部６２３２およびベース板６２１により第２取付部６１４が挟持された状態となる。
また、ベース板６２１等が弾性（曲げ弾性率：２５４０ＭＰａ）を有する材料にて構成され、ベース板６２１に開口部６２１２が形成されているので、遠心力ファン６１を付勢する第２押さえ部６２３の付勢力に対する反力によりベース板６２１における開口部６２１２周縁部分が変形する。より具体的に、ベース板６２１における第２基部６２３１との接続箇所が他の領域に対して図４、図５中、矢印Ｒ２方向に変形する。そして、遠心力ファン６１の第２取付部６１４の一部が開口部６２１２に挿通され、開口部６２１２内周縁にて遠心力ファン６１の第２取付部６１４の外面が引っ掛かった状態となる。
以上のように、遠心力ファン６１は、ファン固定装置６２に支持固定される。
【００３７】
そして、上述した冷却装置６は、図２または図３に示すように、遠心力ファン６１の吸気口６１１が電源ユニット５の筒状部材５２Ａにおける−Ｚ軸方向側の開口に対向し、かつ、ダクト部６２４の導出口６２４１Ｂが筒状部材５１Ａにおける−Ｚ軸方向側の開口に対向するように、ベース板６２１および空気封止板６２４２に形成された固定部６２Ａ（図５）を介して、外装筺体２内部に固定される。
このように冷却装置６が配設された状態では、前記制御装置による制御により遠心力ファン６１が駆動すると、図２または図３に示すように、筒状部材５２Ａ内部の空気流通路Ｃ１を辿って空気が流通し、遠心力ファン６１の吸気口６１１に吸入される。そして、空気流通路Ｃ１を辿って空気が流通することで、ランプ駆動ブロック５２を構成する回路素子や該回路素子が実装された基板等が冷却される。
【００３８】
また、遠心力ファン６１の吐出口６１２から吐出された空気は、図３に示すように、ファン固定装置６２のダクト部６２４により、筒状部材５１Ａ内部の空気流通路Ｃ２に導かれ、空気流通路Ｃ２を辿って空気が流通する。そして、空気流通路Ｃ２を辿って空気が流通することで、電源ブロック５１を構成する回路素子や該回路素子が実装された基板等が冷却される。
そして、空気流通路Ｃ２を辿り筒状部材５１Ａから排出された空気は、外装筺体２に形成された図示しない排気口から外装筺体２外部に排出される。
【００３９】
上述した実施形態によれば、以下の効果がある。
本実施形態では、ファン固定装置６２は、第２基部６２３１および第２延出部６２３２を有する第２押さえ部６２３と、第２延出部６２３２に対向する位置に開口部６２１２を有するベース板６２１とを備えている。そして、第２延出部６２３２およびベース板６２１の各対向面の離間寸法は、遠心力ファン６１の厚み寸法よりも小さく設定されている。このことにより、遠心力ファン６１をベース板６２１および第２押さえ部６２３の間に配設することで、第２延出部６２３２およびベース板６２１の各対向面の離間寸法が遠心力ファン６１の厚み寸法よりも小さく設定されているので、第２延出部６２３２およびベース板６２１にて遠心力ファン６１を挟持し、遠心力ファン６１のファン回転軸Ａｘに沿う方向への移動を規制することができる。また、第１吸振部材６２２２Ｂおよび第２吸振部材６２３２Ｂを除く各部材６２１〜６２４が所定の弾性（曲げ弾性率：２５４０ＭＰａ）を有する材料で構成され、ベース板６２１が開口部６２１２を有しているので、遠心力ファン６１を上述したようにファン固定装置６２に配設することで、遠心力ファン６１を付勢する第２押さえ部６２３の付勢力に対する反力によりベース板６２１における開口部６２１２周縁部分が変形し、遠心力ファン６１の第２取付部６１４の一部が開口部６２１２に挿通し、開口部６２１２内周縁にて遠心力ファン６１の第２取付部６１４の一部を引っ掛けることができる。すなわち、開口部６２１２内周縁にて遠心力ファン６１のファン回転軸Ａｘに直交する平面に沿う方向への移動を規制することができる。このため、遠心力ファン６１を上述したようにファン固定装置６２に配設することで、ファン固定装置６２にて遠心力ファン６１を良好に支持固定できる。したがって、従来のようなねじを必要とせず、作業者は、遠心力ファン６１をベース板６２１および第２押さえ部６２３の間に配設するだけで、遠心力ファン６１をファン固定装置６２に容易に取り付けることができる。また、従来のようなねじを必要としないため、プロジェクタ１の軽量化も図れる。
【００４０】
ここで、第２延出部６２３２は、第２延出部本体６２３２Ａおよび第２吸振部材６２３２Ｂを備え、ファン固定装置６２に遠心力ファン６１を支持固定させた状態で、第２吸振部材６２３２Ｂが遠心力ファン６１に当接する。このことにより、第２吸振部材６２３２Ｂにより、遠心力ファン６１の駆動時の振動を吸収して騒音の発生を抑制できる。同様に、第１延出部６２２２は、第１延出部本体６２２２Ａおよび第１吸振部材６２２２Ｂを備え、ファン固定装置６２に遠心力ファン６１を支持固定させた状態で、第１吸振部材６２２２Ｂが遠心力ファン６１に当接するので、第２吸振部材６２３２Ｂとともに第１吸振部材６２２２Ｂにより、遠心力ファン６１の駆動時の振動を吸収して騒音の発生を抑制できる。このため、プロジェクタ１の静粛性を良好に確保できる。
また、第２吸振部材６２３２Ｂを第２延出部本体６２３２Ａおよび遠心力ファン６１の間に介在させる構成であるので、例えば、第２延出部６２３２を第２延出部本体６２３２Ａのみで構成した場合と比較して、第２吸振部材６２３２Ｂの厚み寸法を変更すれば、第２延出部６２３２およびベース板６２１の各対向面の離間寸法を容易に変更できる。
【００４１】
また、ベース板６２１に係合突起６２１１が形成されているので、係合突起６２１１に対して遠心力ファン６１の第１円孔６１３Ａを係合させた状態で、遠心力ファン６１を回動させるだけで、遠心力ファン６１をファン固定装置６２に容易に取り付けることができる。
さらに、係合突起６２１１は、遠心力ファン６１の第１円孔６１３Ａに係合するので、ファン固定装置６２に対して遠心力ファン６１を所定位置に位置決めする機能を有することとなる。このため、ファン固定装置６２に対する遠心力ファン６１の位置決めも容易に実現できる。
さらにまた、係合突起６２１１は、遠心力ファン６１のファン回転軸Ａｘに沿って突出するので、遠心力ファン６１の第１円孔６１３Ａに係合することで、遠心力ファン６１のファン回転軸Ａｘに直交する平面に沿う方向への移動を規制する機能を有することとなる。このため、係合突起６２１１および開口部６２１２内周縁の双方にて遠心力ファン６１のファン回転軸Ａｘに直交する平面に沿う方向への移動を良好に規制し、ファン固定装置６２にて遠心力ファン６１を良好に支持固定できる。
【００４２】
また、ファン固定装置６２は、ダクト部６２４が一体的に設けられている。このことにより、遠心力ファン６１を支持固定したファン固定装置６２を冷却対象である電源ユニット５に対する所定位置に配設するだけで、遠心力ファン６１から吐出された空気をダクト部６２４にて電源ユニット５の空気流通路Ｃ２に導き、電源ブロック５１を良好に冷却できる。すなわち、例えば、ダクト部を別部材とした構成と比較して、ファン固定装置６２にダクト部６２４が一体的に設けられているので、プロジェクタ１の組立作業を円滑に実施できる。
【００４３】
なお、本発明は前述の実施形態に限定されるものではなく、本発明の目的を達成できる範囲での変形、改良等は本発明に含まれるものである。
前記実施形態では、冷却ファンとして遠心力ファン６１を採用したが、これに限らず、空気の吸入方向と空気の吐出方向とが同一となる軸流ファンを採用しても構わない。
前記実施形態では、第２延出部６２３２を第２延出部本体６２３２Ａおよび第２吸振部材６２３２Ｂで構成していたが、これに限らず、第２吸振部材６２３２Ｂを省略しても構わない。この際、第２延出部本体６２３２Ａおよびベース板６２１の各対向面の離間寸法を、遠心力ファン６１の厚み寸法よりも小さく設定する。なお、第１延出部６２２２も同様である。
【００４４】
前記実施形態では、第２延出部本体６２３２Ａおよびベース板６２１の各対向面の離間寸法は、遠心力ファン６１の厚み寸法と略同一に設定されていたが、これに限らず、第２延出部６２３２（第２吸振部材６２３２Ｂ）およびベース板６２１の各対向面の離間寸法が遠心力ファン６１の厚み寸法よりも小さく設定されればよく、いずれの寸法に設定しても構わない。なお、第１延出部６２２２も同様である。
【００４５】
前記実施形態では、ファン固定装置６２は、ベース板６２１および第２吸振部材６２３２Ｂを除く第２押さえ部６２３を同一材料にて一体的に形成していたが、これに限らず、ベース板６２１および第２押さえ部６２３を別部材でそれぞれ構成した後、一体化した構成としても構わない。この際、ベース板６２１として、弾性（例えば、曲げ弾性率２５４０ＭＰａ）を有する材料にて構成する。
【００４６】
前記実施形態では、ファン固定装置６２は、ダクト部６２４を備えていたが、ダクト部６２４の形状は前記実施形態で説明した形状に限らず、その他の形状で構成してもよく、ダクト部６２４を省略した構成としても構わない。
前記実施形態では、冷却装置６の冷却対象として電源ユニット５を採用していたが、これに限らず、その他の構成部材、例えば、光源装置４１等を冷却対象とし、冷却装置６を光源装置４１近傍に配設する構成としても構わない。
【００４７】
前記実施形態では、光源装置４１は、放電発光型の光源装置で構成していたが、これに限らず、レーザダイオード、ＬＥＤ（Light Emitting Diode）、有機ＥＬ(Electro Luminescence)素子、シリコン発光素子等の各種固体発光素子を採用してもよい。
また、前記実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
前記実施形態では、色合成光学装置としてクロスダイクロイックプリズム４５４を採用していたが、これに限らず、ダイクロイックミラーを複数用いることで各色光を合成する構成を採用してもよい。
【００４８】
前記実施形態では、光学ユニット４は、平面視略Ｌ字形状を有するように形成されていたが、この平面形状は、いずれの形状でもよく、例えば、平面視略Ｕ字形状を有するように形成しても構わない。
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
【００４９】
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記実施形態では、冷却装置６をプロジェクタ１に搭載した構成を説明したが、これに限らず、その他の電子機器、例えば、パーソナルコンピュータ等に搭載し、内部の回路素子等を冷却する構成としても構わない。
【００５０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５１】
本発明のファン固定装置は、冷却ファンを容易に取り付けることができるため、プレゼンテーションやホームシアタに用いられるプロジェクタのファン固定装置として利用できる。
【図面の簡単な説明】
【００５２】
【図１】本実施形態におけるプロジェクタの概略構成を模式的に示す図。
【図２】前記実施形態における電源ユニットおよび冷却装置の概略構成を示す斜視図。
【図３】前記実施形態における電源ユニットおよび冷却装置の概略構成を示す斜視図。
【図４】前記実施形態における冷却装置の概略構成を示す斜視図。
【図５】前記実施形態における冷却装置の概略構成を示す斜視図。
【図６】前記実施形態におけるファン固定装置の概略構成を示す斜視図。
【図７】前記実施形態におけるファン固定装置に対する遠心力ファンの取り付け方法を説明するための図。
【符号の説明】
【００５３】
１・・・プロジェクタ、３・・・投射レンズ（投射光学装置）、６１・・・遠心力ファン（冷却ファン）、６２・・・ファン固定装置、４１１・・・光源装置、４５１・・・液晶パネル（光変調装置）、６２１・・・ベース板、６２３・・・第２押さえ部、６２１１・・・係合突起、６２１２・・・開口部、６２３１・・・第２基部、６２３２・・・第２延出部、６２３２Ａ・・・第２延出部本体、６２３２Ｂ・・・第２吸振部材、Ａｘ・・・ファン回転軸。
【図１】
2008072019.tif 000003
【図２】
2008072019.tif 000004
【図３】
2008072019.tif 000005
【図４】
2008072019.tif 000006
【図５】
2008072019.tif 000007
【図６】
2008072019.tif 000008
【図７】
2008072019.tif 000009